(57)【要約】      （修正有）【課題】良好な操作感度と安定性を備えた揺動式スケートボードを提供する。【解決手段】揺動式スケートボードは、長形体であり、頂面及び底面を有するボード本体と、一つの前輪フォーク及び一つの前遊動輪を有し、前輪フォークがボード本体の底面の先端に回転可能に設けられ、前遊動輪が前輪フォークに回転可能に設けられている前輪ユニットと、一つの後輪軸及び二つの後遊動輪を有し、後輪軸がボード本体の底面の後端に設けられ、後遊動輪が後輪軸の両端にそれぞれ設けられている後輪ユニットとを備えており、ボード本体が一方側に傾斜する際に、前輪ユニットがその一方側に偏向可能になる。【選択図】図３
0003170142.tif 000002
【実用新案登録請求の範囲】
【請求項１】
長形体であり、頂面及び底面を有するボード本体と、
一つの前輪フォーク及び一つの前遊動輪を有し、前記前輪フォークが前記ボード本体の底面の先端に回転可能に設けられ、前記前遊動輪が前記前輪フォークに回転可能に設けられている前輪ユニットと、
一つの後輪軸及び二つの後遊動輪を有し、前記後輪軸がボード本体の底面の後端に設けられ、前記後遊動輪が前記後輪軸の両端にそれぞれ設けられている後輪ユニットとを備えており、
前記ボード本体が一方側に傾斜する際に、前記前輪ユニットが同一方側に偏向可能になる、
ことを特徴とする揺動式スケートボード。
【請求項２】
前記前輪フォークは一つの回転軸を有し、該回転軸により前記ボード本体に枢設され、前記回転軸は後側に向いて一定角度傾斜されていることを特徴とする請求項１に記載の揺動式スケートボード。
【請求項３】
前記ボード本体の底面の先端には下方向に延伸した突出部が設けられており、
前記前輪フォークの回転軸は前記突出部に枢設されていることを特徴とする請求項２に記載の揺動式スケートボード。
【請求項４】
前記突出部には、前から後に向かって傾斜した斜面が形成されており、
前記前輪フォークの回転軸は前記斜面に枢設されていることを特徴とする請求項３に記載の揺動式スケートボード。
【請求項５】
前記ボード本体の縦方向に沿ってそのボード本体の底面に形成されている一つの長形の凹溝と、
前記凹溝内に設けられている複数の支持リブと、をさらに備えていることを特徴とする請求項１から４のいずれか１項に記載の揺動式スケートボード。
【請求項６】
前記ボード本体の底面には、そのボード本体の縦方向に沿って少なくとも一つの長形の突条部が設けられていることを特徴とする請求項１から４のいずれか１項に記載の揺動式スケートボード。
【請求項７】
前記ボード本体の底面には、そのボード本体の縦方向に沿って二つの突条部が設けられ、
前記二つの突条部の間には、一つの凹溝が形成されていることを特徴とする請求項１から４のいずれか１項に記載の揺動式スケートボード。
【請求項８】
前記ボード本体の頂面には、一つの滑り止め部材が設けられていることを特徴とする請求項１から４のいずれか１項に記載の揺動式スケートボード。
【請求項９】
前記ボート本体は、底板及び当該底板の頂面側に設けられた頂板を有し、
前記ボード本体の底面は前記底板の底側に形成され、前記ボード本体の頂面は前記頂板の頂面側に形成されていることを特徴とする請求項１から４のいずれか１項に記載の揺動式スケートボード。
【請求項１０】
前記ボード本体の材質はプラスチックであり、
少なくとも前記頂板の底面または前記底板の内部に、複数のリブが設けられていることを特徴とする請求項９に記載の揺動式スケートボード。
【考案の詳細な説明】
【技術分野】
【０００１】
本考案は、スケートボードに関し、特に、揺動式スケートボードに関する。
【背景技術】
【０００２】
現在、スケートボードとして、四輪式のスケートボードがよく知られ、このようなスケートボードの先端、後端には遊動輪（idler wheel）が合計４個設けられているので、操作安定性が良い。但し、このような四輪式スケートボードは、使用時、滑走のために利用者が片足で地面を蹴る必要があり、これにより前に進めることができ、かつ操作感度が良くない。なお、このような四輪式スケートボードは、そのボード本体が木板で製造されているので、加工が難しく、加工コストが高い。このため、ボード本体は、外形が非常に簡単であり、可変性が低い。さらに、木板でボード本体を製造するので、樹木の伐採による環境問題を引き起こす。
【０００３】
また、業界には二輪式スケートボードも開発され、この二輪式スケートボードの先端、後端にはそれぞれ一つの遊動輪が設けられている。しかし、このようなスケートボードは、その前遊動輪、後遊動輪が同じ直線上に位置し、二つの点のみを介して地面に接しているため、安定性が低く、使用難度が高く、使用するには非常に高い熟練度が必要となる。
【考案の概要】
【考案が解決しようとする課題】
【０００４】
本考案の目的は、良好な操作感度と安定性を備えた揺動式スケートボードを提供することである。利用者は、スケートボードを揺動する方式によって、当該スケートボード駆動して移動させることができる。
【０００５】
本考案の他の目的は、構造強度が良好で、大きい荷重に耐えることが可能な揺動式スケートボードを提供することである。
【課題を解決するための手段】
【０００６】
本考案に係るスケートボードは、ボード本体、前輪ユニット、後輪ユニットを備えており、そのうち、前記ボード本体は長形体であり、前記前輪ユニットは、前記ボード本体の底面の先端に回転可能に設けられている一つの前輪フォーク、及び当該前輪フォークに回転可能に設けられて、前輪ユニットを３６０度回転可能にする一つの前遊動輪を有しており、前記後輪ユニットは、前記ボード本体の底面に設けられている一つの後輪軸、及び当該後輪軸の両端にそれぞれ設けられている二つの後遊動輪を有している。
【考案の効果】
【０００７】
この構成によって、本考案のスケートボードは、三つの点を介して地面に接するので、安定で便利に使用できる。さらに、重要なのは、ボード本体が左側及び右側に向かって傾斜されているので、前輪ユニットを対応して両側に偏向させ、スケートボードを自然に前に移動させることができる。
【０００８】
また、前記ボード本体の底面に凹凸状の溝形構造を形成して、荷重能力を向上させることができ、プラスチック材質で前記ボード本体を製造することができる。
【図面の簡単な説明】
【０００９】
【図１】本考案の一つの実施形態に係る斜視図である。
【図２】図１の構成の分解斜視図である。
【図３】図１の構成の底面斜視図である。
【図４】本考案の頂板の底面斜視図である。
【図５】本考案のスケートボードの側面図である。
【図６】本考案のスケートボードの縦方向の断面図である。
【図７】図６の７−７線に沿った断面図である。
【図８】本考案のスケートボードの正面斜視図であり、ボード本体が一方側に傾斜した構成を示している。
【図９】図８の構成の上面図であり、前輪ユニットが一方側に偏向した構成を示している。
【図１０】本考案のスケートボードの正面斜視図であり、ボード本体が他方側に傾斜した構成を示している。
【図１１】図１０の構成の上面図であり、前輪ユニットが他方側に偏向した構成を示している。
【考案を実施するための形態】
【００１０】
以下、図面を参考にしながら、本考案の実施形態にて、本考案の目的、特徴および効果を説明する。
【００１１】
図１〜図３に示すように、本考案の実施形態に係る揺動式スケートボードは、ボード本体１０、前輪ユニット２０及び後輪ユニット３０を備えている。
【００１２】
ボード本体１０は、その先端、後端の方向に沿って延伸して長形体に形成され、底板１１及び当該底板１１の頂面側に設けられている頂板１２を有している。本実施形態において、このボード本体１０の材質はプラスチックであり、底板１１及び頂板１２の材質が、アクリロニトリル−ブタジエン−スチレン共重合物（ABS；Acrylonitrile-Butadiene-Styren）であることが好ましい。なお、ボード本体１０を、一体に射出成形して製造してもよい。
【００１３】
底板１１の底面には、二つの長形の突条部１１１が設けられており、図３、図７に示すように、二つの突条部１１１は、底板の両側に位置し、底板の縦方向に沿って延伸設置されている。また、二つの長形突条部１１１の間には、一つの長形の凹溝１１２が形成されており、この凹溝１１２はちょうど底板１１の中央に位置している。また、凹溝１１２の内部には複数の支持リブ１１３が設けられている。突条部１１１及び凹溝１１２を設けることにより、底板１１の横断面が凹凸状の溝形になって、底板１１の構造強度及び荷重を増強することができる。また、図５に示すように、底板１１の底面の先端には突出部１１４が設けられ、当該突出部１１４は、後側かつ上側に向かって傾斜した斜面１１５を有しており、この斜面１１５の傾斜角θが１０度から３０度の範囲にあり、１５度から２５度の範囲にあることが好ましい。なお、突条部１１１は、突出部１１４の後側に位置している。突条部１１１は、重量を軽減するために、その内部が中空に形成されている。複数のリブ１１６は、底板１１の内部に設けられている。突出部１１４の溝形構造によっても、底板１１の構造強度を増強し、ボード本体１０の耐衝撃性を向上させることができる。突条部１１１及び凹溝１１２は、前輪ユニット２０と後輪ユニット３０との間に位置している。
【００１４】
また、図４に示すように、頂板１２の底面には複数のリブ１２２が設けられており、これらのリブ１１３、１１６及び１２２は、すべて底板１１及び頂板１２の構造強度を増強するために用いられる。なお、頂板１２は、ネジまたは他の方式によって底板１１の頂面側に固定される。
【００１５】
滑り止め部材１４は、薄片状になっており、その形状がボード本体１０の頂面の形状と同じである。滑り止め部材１４の頂面には、粗雑な滑り止め面が形成されている。この滑り止め部材１４は、例えば、粘着方式によって頂板１２の頂面に固定されて、防滑効果を発揮する。
【００１６】
前輪ユニット２０は、前輪フォーク２１及びこの前輪フォーク２１に枢設されている前遊動輪を有している。図５に示すように、前輪フォーク２１の回転軸２１１は、底板１１において前輪フォーク２１を３６０度回転させるように、底板１１の突出部１１４の斜面１１５に枢設されており、これにより、利用者は、スケートボードの行進方向を制御することができる。また、突出部１１４が斜面１１５を有しているため、前輪フォーク２１の回転軸２１１は直立して設置されず、後側に向かってθ角傾いている。
【００１７】
後輪ユニット３０は、底板１１の底面の後端に設けられている輪座３１、頂端が輪座３１に接続されている心棒３２、心棒３２の底端に装着されている後輪軸３３、及び後輪軸３３の両端にそれぞれ枢設されている二つの後遊動輪３４を有している。この後輪ユニット３０は、底板１１に形成された傾斜場Bに設けられ、当該傾斜場Bは、後側かつ上側に向かってδ角、例えば５度から１５度の範囲にある角度で傾斜し、これにより、心棒３２も後側に向かってδ角傾斜している。
【００１８】
図８〜図１１に示すように、スケートボードの使用時において、利用者は、スケートボードのボード本体１０上に立って、体を揺動することで、自身の重心位置を変化させながら、ボード本体１０を左側または右側に傾ける。これにより、スケートボードの前輪ユニットの前輪フォーク２１を左または右に偏向させて、滑走のために足で地面を蹴る必要なく、スケートボードを前に進めることができる。なお、前輪フォーク２１の回転軸２１１は傾斜角を持って設計されているので、この前輪フォーク２１を機敏に回転させることができる。同じく、後輪ユニット３０の心棒３２も傾斜角を持って設計されているので、後輪ユニットとボード本体１０との間で容易に相対的な偏向揺動が発生される。
【００１９】
以上の説明に鑑みて、本考案は以下の利点を有している。
【００２０】
１．本考案のスケートボードは、上述した前輪ユニット２０、後輪ユニット３０を備えることで、同じ直線上に位置しない三つの点に支持され、このため、良好な安定性を有し、使用・操作し易い。
【００２１】
２．利用者は体を揺動して、ボード本体１０を傾斜させることで、滑走のために足で地面を蹴る必要なく、スケートボードを前に進める。また、前遊動輪２２が、ボード本体に対し３６０度回転できるので、スケートボードは、操作感度が良く、その行進方向を制御し易い。
【００２２】
３．本考案において、ボード本体１０は、プラスチックの射出成形加工により製造されているため、製造及び加工が非常に容易で速くなって、製造コストを減少し、ボード本体１０を異なる外観形状に製造でき、樹木の伐採による環境問題を引き起こさない。
【００２３】
４．ボード本体１０は、構成上、例えば、突出部１１４、突条部１１１、凹溝１１２、及び頂板と底板に設けられた複数のリブ１１３、１１６、１２２などのように、多重構造に設計されているので、ボード本体１０の構造強度及び変形強度を向上でき、利用者の体重及び踏みに耐えられる。
【００２４】
もちろん、本考案は、上述した実施形態の説明に限定されない。
【００２５】
以上のように、本考案に係る揺動式スケートボードは、良好な操作感度及び安定性を備えるとともに、外観形状が容易に変化できるので、本考案の目的を確実に実現することができる。
【符号の説明】
【００２６】
１０    ボード本体                 １１ 底板
１１１  突条部                    １１２   凹溝
１１３    支持リブ                １１４   突出部
１１５    斜面                    １１６   リブ
１２      頂板                    １２２   リブ
１４      滑り止め部材            ２０ 前輪ユニット
２１      前輪フォーク            ２１１   回転軸
２２      前遊動輪                θ       傾斜角
３０      後輪ユニット            ３１     輪座
３２      心棒                    ３３     後輪軸
３４      後遊動輪                Ｂ       傾斜場
δ        傾斜角
【図１】
0003170142.tif 000003
【図２】
0003170142.tif 000004
【図３】
0003170142.tif 000005
【図４】
0003170142.tif 000006
【図５】
0003170142.tif 000007
【図６】
0003170142.tif 000008
【図７】
0003170142.tif 000009
【図８】
0003170142.tif 000010
【図９】
0003170142.tif 000011
【図１０】
0003170142.tif 000012
【図１１】
0003170142.tif 000013